(57)【特許請求の範囲】
【請求項１】
移動通信システムにおける位置サービスの処理方法であって、
位置サービス要求が起動された後、ユーザ機器（ＵＥ）が初期基地局から第１家庭用基地局（ＨｅＮＢ）にハンドオーバーし、
ハンドオーバー成功通知を受信した後、モビリティ管理エンティティ（ＭＭＥ）が、ユーザ加入情報および／または該第１ＨｅＮＢの位置マッピング関係に従って、位置サービス連続性ポリシーを決定して、該位置サービス連続性ポリシーに従って、位置サービス応答を位置サービス要求の起動元に返信する、
ことを含むことを特徴とする方法。
【請求項２】
１つまたは複数のＨｅＮＢが、前記ＭＭＥへ登録する際、検出された隣接基地局の情報を該ＭＭＥに報告し、
前記ＭＭＥが、前記１つまたは複数のＨｅＮＢのために、相応する位置マッピング関係を確立する、
ことをさらに含むことを特徴とする請求項１に記載の方法。
【請求項３】
前記第１ＨｅＮＢの位置マッピング関係には、第１ＨｅＮＢと隣接基地局との対応関係が記録され、前記隣接基地局が、前記第１ＨｅＮＢと重なるカバレッジ範囲を有する１つまたは複数の基地局（ｅＮＢ）、および／または、１つまたは複数のほかのＨｅＮＢである、
ことを特徴とする請求項１または２に記載の方法。
【請求項４】
前記第１ＨｅＮＢの位置マッピング関係には、さらに、第１ＨｅＮＢの動作モードと、隣接基地局における各ｅＮＢの信号強度と、隣接基地局におけるほかの各ＨｅＮＢの信号強度および動作モードとが記録される、
ことを特徴とする請求項３に記載の方法。
【請求項５】
前記ＭＭＥが、ユーザ加入情報および／または該第１ＨｅＮＢの位置マッピング関係に従って、位置サービス連続性ポリシーを決定することは、
前記ＭＭＥが、該ＵＥの位置サービスの優先度情報を取得し、
該ＵＥが優先度の低いユーザである場合、ＭＭＥが第１位置サービス連続性ポリシーを実行し、該ＵＥが優先度の高いユーザである場合、ＭＭＥが第２位置サービス連続性ポリシーを実行する、
ことを含むことを特徴とする請求項１に記載の方法。
【請求項６】
前記ＭＭＥが、該ＵＥの位置サービスの優先度情報を取得することは、ユーザ加入情報から、前記ＵＥの位置サービスの優先度情報を取得することを含み、ここで、前記ユーザ加入情報が、ＭＭＥまたはホーム加入者サーバ（ＨＳＳ）に蓄積され、あるいは、位置サービス要求から取得される、
ことを特徴とする請求項５に記載の方法。
【請求項７】
前記ＭＭＥが、ユーザ加入情報および／または該第１ＨｅＮＢの位置マッピング関係に従って、位置サービス連続性ポリシーを決定することは、
前記ＭＭＥが、第１ＨｅＮＢの位置マッピング関係に従って、該第１ＨｅＮＢの配置領域のタイプを決定し、該第１ＨｅＮＢが第１タイプの領域に配置される場合、ＭＭＥが第１位置サービス連続性ポリシーを実行し、該第１ＨｅＮＢが第２タイプの領域に配置される場合、ＭＭＥが第２位置サービス連続性ポリシーを実行する、
ことを含むことを特徴とする請求項２に記載の方法。
【請求項８】
前記ＭＭＥが、第１ＨｅＮＢの位置マッピング関係に従って、該第１ＨｅＮＢの配置領域のタイプを決定することは、
ＭＭＥが、該第１ＨｅＮＢの位置マッピング関係に記録されたほかのＨｅＮＢが予め設定された数を超えるかどうかを判断し、超える場合、ＨｅＮＢが共用である第１タイプの領域に該第１ＨｅＮＢが配置されると決定し、超えない場合、ＨｅＮＢが専用である第２タイプの領域に該ＨｅＮＢが配置されると決定する、
ことを含むことを特徴とする請求項７に記載の方法。
【請求項９】
前記ＭＭＥが、ユーザ加入情報および／または該第１ＨｅＮＢの位置マッピング関係に従って、位置サービス連続性ポリシーを決定することは、
ＭＭＥが、該ＵＥの位置サービスの優先度情報を取得して、第１ＨｅＮＢの位置マッピング関係に従って、該第１ＨｅＮＢの配置領域のタイプを決定し、
該ＵＥが優先度の低いユーザであり、かつ、該第１ＨｅＮＢが第１タイプの領域に配置される場合、ＭＭＥが第１位置サービス連続性ポリシーを実行し、そうでない場合、ＭＭＥが第２位置サービス連続性ポリシーを実行する、
ことを含むことを特徴とする請求項２に記載の方法。
【請求項１０】
前記ＭＭＥが第１位置サービス連続性ポリシーを実行することは、
ＭＭＥが、ハンドオーバー成功通知を受信した後、状態の更新を進化型サービス移動位置センター（Ｅ−ＳＭＬＣ）へ通知ぜず、Ｅ−ＳＭＬＣから返信された、初期基地局に対する位置決め結果を、位置サービス応答として、前記位置サービス要求の起動元に返信する、
ことを含むことを特徴とする請求項５〜９のいずれか１項に記載の方法。
【請求項１１】
前記ＭＭＥが第２位置サービス連続性ポリシーを実行することは、
ＭＭＥが、状態の更新をＥ−ＳＭＬＣへ通知して、前記第１ＨｅＮＢの位置マッピング関係に記録された位置マッピング情報を前記Ｅ−ＳＭＬＣに送信し、前記Ｅ−ＳＭＬＣによって、第１位置決め計算を実行して、Ｅ−ＳＭＬＣから返信された、第１ＨｅＮＢに対する第１位置決め計算の結果を、第１位置サービス応答として、前記位置サービス要求の起動元に返信する、
ことを含むことを特徴とする請求項５〜９のいずれか１項に記載の方法。
【請求項１２】
前記ＭＭＥが第２位置サービス連続性ポリシーを実行することは、
ＭＭＥが、Ｅ−ＳＭＬＣから送信された位置決め要求を受信した後、位置決め報告制御を第１ＨｅＮＢへ送信することで、該第１ＨｅＮＢにより提供された位置決め報告を得、該位置決め報告を前記Ｅ−ＳＭＬＣに送信して第２位置決め計算を行い、前記第２位置決め計算の結果を、第２位置サービス応答として、前記位置サービス要求の起動元に返信する、
ことをさらに含むことを特徴とする請求項１１に記載の方法。
【請求項１３】
前記位置サービス要求が、ＵＥによって起動され、または、ゲートウェイ移動位置センター（ＧＭＬＣ）によって起動され、または、ＭＭＥによって起動される、ことを特徴とする請求項１に記載の方法。
【請求項１４】
前記初期基地局が、基地局（ｅＮＢ）または第２ＨｅＮＢである、ことを特徴とする請求項１に記載の方法。
【請求項１５】
移動通信システムにおける位置サービスの処理装置であって、
ユーザ機器（ＵＥ）が初期基地局から第１家庭用基地局（ＨｅＮＢ）にハンドオーバーする際、ハンドオーバー成功通知を受信する位置サービスやり取りモジュールと、
前記位置サービスやり取りモジュールがハンドオーバー成功通知を受信した後、ユーザ加入情報および／または第１ＨｅＮＢの位置マッピング関係に従って、位置サービス連続性ポリシーを決定する位置サービス制御モジュールと、を含み、
ここで、前記ハンドオーバーが発生する前に、位置サービス要求が起動され、
前記位置サービスやり取りモジュールが、さらに、前記位置サービス連続性ポリシーに従って、位置サービス応答を位置サービス要求の起動元に返信する、
ことを特徴とする装置。
【請求項１６】
１つまたは複数のＨｅＮＢが登録する際に報告した隣接基地局の情報を受信して、前記１つまたは複数のＨｅＮＢのために、対応する位置マッピング関係を確立する位置マッピング確立モジュールを、さらに含み、
ここで、前記隣接基地局が、前記ＨｅＮＢと重なるカバレッジ範囲を有する１つまたは複数の基地局（ｅＮＢ）、または、ほかのＨｅＮＢである、
ことを特徴とする請求項１５に記載の装置。
【請求項１７】
前記位置サービス制御モジュールは、
該ＵＥの位置サービスの優先度情報を取得して判断し、該ＵＥが優先度の低いユーザである場合、位置サービスやり取りモジュールに対し、第１位置サービス連続性ポリシーを実行するよう通知し、該ＵＥが優先度の高いユーザである場合、位置サービスやり取りモジュールに対し、第２位置サービス連続性ポリシーを実行するよう通知する、
ことを特徴とする請求項１５に記載の装置。
【請求項１８】
前記位置サービス制御モジュールは、
第１ＨｅＮＢの位置マッピング関係に従って、該第１ＨｅＮＢの配置領域のタイプを決定し、該第１ＨｅＮＢが第１タイプの領域に配置される場合、位置サービスやり取りモジュールに対し、第１位置サービス連続性ポリシーを実行するよう通知し、該第１ＨｅＮＢが第２タイプの領域に配置される場合、位置サービスやり取りモジュールに対し、第２位置サービス連続性ポリシーを実行するよう通知する、
ことを特徴とする請求項１６に記載の装置。
【請求項１９】
前記位置サービス制御モジュールは、
該ＵＥの位置サービスの優先度情報を取得して、第１ＨｅＮＢの位置マッピング関係に従って、該第１ＨｅＮＢの配置領域のタイプを決定し、
該ＵＥが優先度の低いユーザであり、かつ、該第１ＨｅＮＢが第１タイプの領域に配置される場合、位置サービスやり取りモジュールに対し、第１位置サービス連続性ポリシーを実行するよう通知し、そうでない場合、位置サービスやり取りモジュールに対し、第２位置サービス連続性ポリシーを実行するよう通知する、
ことを特徴とする請求項１６に記載の装置。
【請求項２０】
前記位置サービスやり取りモジュールは、
位置サービス制御モジュールから送信された、第１位置サービス連続性ポリシーを実行する旨の通知を受信した後、状態の更新を進化型サービング移動位置センター（Ｅ−ＳＭＬＣ）へ通知せず、
Ｅ−ＳＭＬＣから返信された、初期基地局に対する位置決め結果を、位置サービス応答として、前記位置サービス要求の起動元に返信する、
ことを特徴とする請求項１５〜１９のいずれか１項に記載の装置。
【請求項２１】
前記位置サービスやり取りモジュールは、
位置サービス制御モジュールから送信された、第２位置サービス連続性ポリシーを実行する旨の通知を受信した後、状態の更新をＥ−ＳＭＬＣへ通知し、
前記第１ＨｅＮＢの位置マッピング関係に記録された位置マッピング情報を、前記Ｅ−ＳＭＬＣに送信し、前記Ｅ−ＳＭＬＣによって、第１位置決め計算を行い、
Ｅ−ＳＭＬＣから返信された、第１ＨｅＮＢに対する第１位置決め計算の結果を、第１位置サービス応答として、前記位置サービス要求の起動元に返信する、
ことを特徴とする請求項１５〜１９のいずれか１項に記載の装置。
【請求項２２】
前記位置サービスやり取りモジュールは、
Ｅ−ＳＭＬＣから送信された位置決め要求を受信した後、位置決め報告制御を第１ＨｅＮＢへ送信することで、該第１ＨｅＮＢにより提供された位置決め報告を得、
該位置決め報告を前記Ｅ−ＳＭＬＣに送信して第２位置決め計算を行い、
前記第２位置決め計算の結果を、第２位置サービス応答として、前記位置サービス要求の起動元に返信する、
ことを特徴とする請求項２１に記載の装置。
【請求項２３】
進化型サービング移動位置センター（Ｅ−ＳＭＬＣ）であって、
モビリティ管理エンティティ（ＭＭＥ）から送信された状態の更新を受信して、ＭＭＥにより提供された、ハンドオーバー後のＨｅＮＢの位置マッピング関係を受信する位置決めやり取りモジュールと、
前記ハンドオーバー後のＨｅＮＢの位置マッピング関係に従って、第１位置決め計算を行う位置決め計算モジュールと、を含み、
前記位置決めやり取りモジュールが、さらに、位置決め要求を送信する前に、ハンドオーバー後のＨｅＮＢに対する第１位置決め計算の結果を、ＭＭＥへ返信する、
ことを特徴とする装置。
【請求項２４】
前記位置決めやり取りモジュールが、さらに、受信された状態の更新に対して、位置決め要求をＭＭＥへ送信し、ＭＭＥにより提供された位置決め報告を受信して、第２位置決め計算の結果を返信し、
前記位置決め計算モジュールが、さらに、該位置決め報告に従って、前記第２位置決め計算を行う、
ことを特徴とする請求項２３に記載の装置。
【請求項２５】
家庭用基地局（ＨｅＮＢ）であって、
該ＨｅＮＢと重なるカバレッジ範囲を有する１つまたは複数の基地局（ｅＮＢ）、および／または、１つまたは複数のほかのＨｅＮＢを検出して、該ＨｅＮＢの隣接基地局の情報を得る検出モジュールと、
該ＨｅＮＢがモビリティ管理エンティティ（ＭＭＥ）へ登録する際、前記隣接基地局の情報を報告する通信モジュールと、
を含み、
該ＨｅＮＢのために、相応する位置マッピング関係が前記ＭＭＥによって確立される、
ことを特徴とする装置。
【発明の詳細な説明】
【技術分野】
【０００１】
本発明は、移動通信技術分野に関し、特に、移動通信システム、例えば、進化したパケットシステム（ＥＰＳ：Ｅｖｏｌｖｅｄ  Ｐａｃｋｅｔ  Ｓｙｓｔｅｍ）において、ユーザ機器（ＵＥ：Ｕｓｅｒ  Ｅｑｕｉｐｍｅｎｔ）が家庭用基地局（ＨｅＮＢ：Ｈｏｍｅ  ｅｖｏｌｖｅｄ  ＮｏｄｅＢ）にハンドオーバーする必要がある場合、位置サービスの処理方法およびその装置に関する。
【背景技術】
【０００２】
進化したパケットシステム（ＥＰＳ：Ｅｖｏｌｖｅｄ  Ｐａｃｋｅｔ  Ｓｙｓｔｅｍ）は、３ＧＰＰによって開発された、長期的進化（ＬＴＥ：Ｌｏｎｇ  Ｔｅｒｍ  Ｅｖｏｌｕｔｉｏｎ）システムに基づくネットワークアーキテクチャーである。位置サービスに関連するＥＰＳのアーキテクチャーは、図１に示すように、進化型ユニバーサル地上無線アクセスネットワーク（Ｅ−ＵＴＲＡＮ：Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、および、発展型パケットコア（ＥＰＣ：Ｅｖｏｌｖｅｄ  Ｐａｃｋｅｔ  Ｃｏｒｅ）ネットワークを含む。
【０００３】
図１に示すように、位置サービスに関連するＥＰＣは、モビリティ管理エンティティ（ＭＭＥ：Ｍｏｂｉｌｉｔｙ  Ｍａｎａｇｅｍｅｎｔ  Ｅｎｔｉｔｙ）、進化型サービス移動位置センター（Ｅ−ＳＭＬＣ：Ｅｖｏｌｖｅｄ−Ｓｅｒｖｉｎｇ  Ｍｏｂｉｌｅ  Ｌｏｃａｔｉｏｎ  Ｃｅｎｔｅｒ）、ゲートウェイ移動位置センター（ＧＭＬＣ：Ｇａｔｅｗａｙ  Ｍｏｂｉｌｅ  Ｌｏｃａｔｉｏｎ  Ｃｅｎｔｅｒ）、サービスゲートウェイ（ＳＧＷ：Ｓｅｒｖｉｎｇ  Ｇａｔｅｗａｙ）、パケットデータゲートウェイ（ＰＧＷ：Ｐａｃｋｅｔ  Ｄａｔａ  Ｎｅｔｗｏｒｋ  Ｇａｔｅｗａｙ）、および、ホーム加入者サーバ（ＨＳＳ：Ｈｏｍｅ  Ｓｕｂｓｃｒｉｂｅｒ  Ｓｅｒｖｅｒ）を含む。
【０００４】
ここで、ＭＭＥは、ＥＰＳの制御プレーンのネットワークエンティティであり、主に、ユーザ機器（ＵＥ：Ｕｓｅｒ  Ｅｑｕｉｐｍｅｎｔ）のモビリティ管理、セッション管理、非アクセス層のシグナリングの処理とセキュリティ暗号化機能、合法的なシグナリング監視、ＰＧＷ／ＳＧＷ／ＭＭＥの選択機能、警告メッセージ伝送、および、警告メッセージのために適当な基地局（ｅＮＢ：Ｅｖｏｌｖｅｄ  ＮｏｄｅＢ）または家庭用基地局（ＨｅＮＢ：Ｈｏｍｅ  Ｅｖｏｌｖｅｄ  ＮｏｄｅＢ）を選択することなどを行う。ＭＭＥは、Ｓ１−ＭＭＥインタフェースによって、ｅＮＢ／ＨｅＮＢに接続する。
【０００５】
Ｅ−ＳＭＬＣは、ＵＥの位置を計算して補助データを下り送信する位置決めセンターであり、主に、ＵＥおよび／またはｅＮＢとやり取りして位置決め計算を完成すること、補助データをＵＥに下り送信すること、位置決めの全体調整、および、位置決めに必要なリソースのスケジューリングなどを行う。Ｅ−ＳＭＬＣは、ＳＬｓインタフェースによって、ＭＭＥに接続する。
【０００６】
ＧＭＬＣは、位置サービスのクライアント側と移動ネットワークとの間のゲートウェイであり、主に、位置サービスの登録認証、位置決め要求をＭＭＥに送信すること、最終的な位置決め結果をＭＭＥから受信すること、および、複数のＧＭＬＣの間での通信などを行う。ＧＭＬＣは、ＳＬｇインタフェースによって、ＭＭＥに接続する。
【０００７】
ＳＧＷは、ＥＰＳのユーザプレーンのネットワークエンティティであり、ｅＮＢ／ＨｅＮＢの間でハンドオーバーするモビリティアンカーポイントであるとともに、３ＧＰＰシステムの間でハンドオーバーするモビリティアンカーポイントであり、パケットのルーティングと転送機能、ユーザプレーンの合法的な監視、アイドル状態にあるＵＥの下りデータのバッファリング、および、ローミングする場合のホームルーティングデータの上り下り課金などの機能を行う。ＳＧＷは、Ｓ１−Ｕインタフェースによって、ｅＮＢ／ＨｅＮＢに接続する。
【０００８】
ＰＧＷは、ＥＰＳネットワークとパケットデータネットワークとを接続するゲートウェイであり、主に、上り下りデータストリームの閾値制御、ＵＥのＩＰアドレスの割り当て、および、合法的な監視などの機能を行う。
【０００９】
ＨＳＳは、ユーザＩＤ、携帯電話番号、加入している各種サービスのサービス品質（ＱｏＳ：Ｑｕａｌｉｔｙ  ｏｆ  Ｓｅｒｖｉｃｅ）のパラメータ、および、ユーザにサービスするＭＭＥとＰＧＷのアドレスなどを含むユーザの加入データを保存する。
【００１０】
さらに、Ｅ−ＵＴＲＡＮは、ｅＮＢ、ＨｅＮＢおよびＵＥという３種類のネットワークエンティティを含み、主に、エアインタフェースにおける基地局とＵＥとの間のユーザプレーンおよび制御プレーンのプロトコル処理とデータ伝送に用いられる。ここで、ｅＮＢは、大きい広域範囲のカバレッジを提供し、ＨｅＮＢは、小さい範囲の深いカバレッジを提供することにより、室内領域およびホットスポット領域の信号のカバレッジの隙間を減少させ、これら領域の通信品質およびユーザ体感を向上させる。実際の運用において、ＨｅＮＢは、ブロードバンドアクセス技術、例えば、非対称ディジタル加入者線（ＡＤＳＬ：Ａｓｙｍｍｅｔｒｉｃ  Ｄｉｇｉｔａｌ  Ｓｕｂｓｃｒｉｂｅｒ  Ｌｉｎｅ）または光ファイバーによって、事業者のコアネットワークにアクセスする。
【００１１】
図１に示すＥＰＳに基づいて、従来の技術における位置サービス処理の流れは、図２に示すように、主に、位置サービス要求（プロセス２１）、位置決め計算（プロセス２２）、および、位置サービス応答（プロセス２３）を含む。
【００１２】
プロセス２１において、位置サービス要求の起動は複数種類の方式がある。具体的に、ステップ２１ａに示すように、ユーザが自身の位置を取得するために、ＵＥで起動してもよく、あるいは、ステップ２１ｂに示すように、ほかの位置サービスクライアント側がＵＥの位置を取得するために、ＧＭＬＣで起動してもよく、あるいは、ステップ２１ｃに示すように、ネットワーク側がＵＥの位置を取得するために、ＭＭＥで起動してもよい。
【００１３】
ステップ２２において、位置決め計算は、ステップ２２１で、ＭＭＥが位置決め要求をＥ−ＳＭＬＣに送信し、ステップ２２２で、Ｅ−ＳＭＬＣがｅＮＢまたはＵＥとやり取りして、位置決め計算を完成し、ステップ２２３で、Ｅ−ＳＭＬＣが位置決め応答をＭＭＥに送信する、ことを含む。具体的に、ステップ２２２ａは、Ｅ−ＳＭＬＣがｅＮＢとやり取りして、位置決め計算を完成することを示し、ステップ２２２ｂは、Ｅ−ＳＭＬＣがＵＥとやり取りして、位置決め計算を完成することを示す。
【００１４】
プロセス２３における位置サービス応答は、プロセス２１における位置サービス要求に対応するものである。例えば、ステップ２１ａに対応して、ＭＭＥが位置サービス応答をＵＥに送信する（ステップ２３ａ）。同様に、ステップ２１ｂに対応して、ステップ２３ｂで、ＭＭＥが位置サービス応答をＧＭＬＣに送信し、あるいは、ステップ２１ｃに対応して、ステップ２３ｃで、ＭＭＥが位置サービス応答を、要求を起動したＭＭＥに送信する。
【００１５】
指摘すべきものとして、位置サービスの処理プロセスにおいて、ＵＥは、２つの隣接ｅＮＢの間でハンドオーバーする可能性がある。例えば、ステップ２２２ａで、Ｅ−ＳＭＬＣがｅＮＢとやり取りして位置決め計算を行うプロセスにおいて、ＵＥが基地局間のハンドオーバーを発生する場合、基地局に基づく位置決めアルゴリズムが中断され、この場合、位置サービスの連続性処理が必要になる。ここで、位置サービスの連続性処理は、ＵＥがハンドオーバーを発生する場合、位置サービスに対する処理を指す。
【００１６】
具体的に、位置サービスの連続性処理の流れは、図３に示すように、下記のステップを含む。
【００１７】
ステップ３０１で、Ｅ−ＳＭＬＣは、第１ｅＮＢとやり取りして、位置決め計算を開始する。
【００１８】
ステップ３０２で、ＵＥは、第１ｅＮＢから第２ｅＮＢにハンドオーバーすることを要求する。
【００１９】
説明すべきものとして、ハンドオーバーを起動する前に、第１ｅＮＢは、基地局に基づく位置決めアルゴリズムを一時停止し、かつ、ハンドオーバーに成功した後、第１ｅＮＢは、基地局に基づく位置決めアルゴリズムを停止する。
【００２０】
ステップ３０３で、ＭＭＥは、ハンドオーバーの成功を確認した後、状態の更新、即ち、第１ｅＮＢから第２ｅＮＢへのハンドオーバーが発生したことを、Ｅ−ＳＭＬＣへ通知する。
【００２１】
ステップ３０４で、Ｅ−ＳＭＬＣは、ＵＥのＩＤおよびＥ−ＵＴＲＡＮパラメータなどを含む新しい位置決め要求を、ＭＭＥへ送信する。
【００２２】
ステップ３０５で、ＭＭＥは、Ｅ−ＵＴＲＡＮパラメータなどを含む位置決め報告制御を、第２ｅＮＢへ送信する。
【００２３】
ステップ３０６で、第２ｅＮＢは、第２ｅＮＢのセルグローバルＩＤ（ＣＧＩ：Ｃｅｌｌ  Ｇｌｏｂａｌ  Ｉｄｅｎｔｉｔｙ）、および、第２ｅＮＢの測定結果などを含む位置決め報告を、ＭＭＥへ送信する。
【００２４】
ステップ３０７で、ＭＭＥは、ＵＥのＩＤ、第２ｅＮＢのＣＧＩ、および、第２ｅＮＢの測定結果などを含む位置決め応答を、Ｅ−ＳＭＬＣへ送信する。
【発明の概要】
【発明が解決しようとする課題】
【００２５】
ここから分かるように、位置サービスを提供するプロセスにおいて、ＵＥがｅＮＢの間でハンドオーバーすることが発生する場合、従来の技術では、ハンドオーバーに成功した後、新しいｅＮＢ（即ち、ハンドオーバー後のｅＮＢ）に対して、位置決めを実行する。同様に、ＵＥが、１つのＨｅＮＢからほかの１つのＨｅＮＢにハンドオーバーする場合、あるいは、ｅＮＢからＨｅＮＢにハンドオーバーする場合にも、従来の技術では、上記の位置サービスの処理方法を採用する。但し、この処理方法は、比較的に単純であり、ｅＮＢおよびＨｅＮＢの配置特性が考慮されていない。通常の場合、１つのｅＮＢは、比較的大きい範囲の領域をカバーするが、該領域内に、カバレッジ範囲が該ｅＮＢと重なる１つまたは複数のＨｅＮＢが設置される可能性がある。あるいは、複数のＨｅＮＢは、カバレッジ範囲の重なるところがある可能性もある。従って、ＵＥのハンドオーバーによる位置サービスへの問題に対応するために、さらに柔軟な位置サービスの処理方法が必要となる。
【００２６】
本発明は上記に鑑みてなされたものであって、移動通信システムにおける位置サービスの処理方法およびその装置を提供することにより、ＵＥがＨｅＮＢにハンドオーバーする時、位置サービスを柔軟に処理することを主な目的とする。
【課題を解決するための手段】
【００２７】
上記目的を達成するために、本発明の解決手段は、具体的に以下のように実現する。
【００２８】
移動通信システムにおける位置サービスの処理方法であって、
位置サービス要求が起動された後、ユーザ機器（ＵＥ）が初期基地局から第１家庭用基地局（ＨｅＮＢ）にハンドオーバーし、
ハンドオーバー成功通知を受信した後、モビリティ管理エンティティ（ＭＭＥ）が、ユーザ加入情報および／または該第１ＨｅＮＢの位置マッピング関係に従って、位置サービス連続性ポリシーを決定して、該位置サービス連続性ポリシーに従って、位置サービス応答を位置サービス要求の起動元に返信する、ことを含む。
【００２９】
該方法は、
１つまたは複数のＨｅＮＢが、前記ＭＭＥへ登録する際、検出された隣接基地局の情報を該ＭＭＥに報告し、
前記ＭＭＥが、前記１つまたは複数のＨｅＮＢのために、相応する位置マッピング関係を確立する、ことをさらに含む。
【００３０】
前記第１ＨｅＮＢの位置マッピング関係には、第１ＨｅＮＢと隣接基地局との対応関係が記録され、前記隣接基地局が、前記第１ＨｅＮＢと重なるカバレッジ範囲を有する１つまたは複数の基地局（ｅＮＢ）、および／または、１つまたは複数のほかのＨｅＮＢである。
【００３１】
前記第１ＨｅＮＢの位置マッピング関係には、さらに、第１ＨｅＮＢの動作モードと、隣接基地局における各ｅＮＢの信号強度と、隣接基地局におけるほかの各ＨｅＮＢの信号強度および動作モードとが記録される。
【００３２】
前記ＭＭＥが、ユーザ加入情報および／または該第１ＨｅＮＢの位置マッピング関係に従って、位置サービス連続性ポリシーを決定することは、
前記ＭＭＥが、該ＵＥの位置サービスの優先度情報を取得し、
該ＵＥが優先度の低いユーザである場合、ＭＭＥが第１位置サービス連続性ポリシーを実行し、該ＵＥが優先度の高いユーザである場合、ＭＭＥが第２位置サービス連続性ポリシーを実行する、ことを含む。
【００３３】
前記ＭＭＥが、該ＵＥの位置サービスの優先度情報を取得することは、ユーザ加入情報から、前記ＵＥの位置サービスの優先度情報を取得することを含み、ここで、前記ユーザ加入情報が、ＭＭＥまたはホーム加入者サーバ（ＨＳＳ）に蓄積され、あるいは、位置サービス要求から取得される。
【００３４】
前記ＭＭＥが、ユーザ加入情報および／または該第１ＨｅＮＢの位置マッピング関係に従って、位置サービス連続性ポリシーを決定することは、
前記ＭＭＥが、第１ＨｅＮＢの位置マッピング関係に従って、該第１ＨｅＮＢの配置領域のタイプを決定し、該第１ＨｅＮＢが第１タイプの領域に配置される場合、ＭＭＥが第１位置サービス連続性ポリシーを実行し、該第１ＨｅＮＢが第２タイプの領域に配置される場合、ＭＭＥが第２位置サービス連続性ポリシーを実行する、ことを含む。
【００３５】
前記ＭＭＥが、第１ＨｅＮＢの位置マッピング関係に従って、該第１ＨｅＮＢの配置領域のタイプを決定することは、
ＭＭＥが、該第１ＨｅＮＢの位置マッピング関係に記録されたほかのＨｅＮＢが予め設定された数を超えるかどうかを判断し、超える場合、ＨｅＮＢが共用である第１タイプの領域に該第１ＨｅＮＢが配置されると決定し、超えない場合、ＨｅＮＢが専用である第２タイプの領域に該ＨｅＮＢが配置されると決定する、ことを含む。
【００３６】
前記ＭＭＥが、ユーザ加入情報および／または該第１ＨｅＮＢの位置マッピング関係に従って、位置サービス連続性ポリシーを決定することは、
ＭＭＥが、該ＵＥの位置サービスの優先度情報を取得して、第１ＨｅＮＢの位置マッピング関係に従って、該第１ＨｅＮＢの配置領域のタイプを決定し、
該ＵＥが優先度の低いユーザであり、かつ、該第１ＨｅＮＢが第１タイプの領域に配置される場合、ＭＭＥが第１位置サービス連続性ポリシーを実行し、層でない場合、ＭＭＥが第２位置サービス連続性ポリシーを実行する、ことを含む。
【００３７】
前記ＭＭＥが第１位置サービス連続性ポリシーを実行することは、ＭＭＥが、ハンドオーバー成功通知を受信した後、状態の更新を進化型サービス移動位置センター（Ｅ−ＳＭＬＣ）へ通知せず、Ｅ−ＳＭＬＣから返信された、初期基地局に対する位置決め結果を、位置サービス応答として、前記位置サービス要求の起動元に返信する、ことを含む。
【００３８】
前記ＭＭＥが第２位置サービス連続性ポリシーを実行することは、
ＭＭＥが、状態の更新をＥ−ＳＭＬＣへ通知して、前記第１ＨｅＮＢの位置マッピング関係に記録された位置マッピング情報を前記Ｅ−ＳＭＬＣに送信し、前記Ｅ−ＳＭＬＣによって、第１位置決め計算を実行して、Ｅ−ＳＭＬＣから返信された、第１ＨｅＮＢに対する第１位置決め計算の結果を、第１位置サービス応答として、前記位置サービス要求の起動元に返信する、ことを含む。
【００３９】
前記ＭＭＥが第２位置サービス連続性ポリシーを実行することは、
ＭＭＥが、Ｅ−ＳＭＬＣから送信された位置決め要求を受信した後、位置決め報告制御を第１ＨｅＮＢへ送信することで、該第１ＨｅＮＢにより提供された位置決め報告を得、該位置決め報告を前記Ｅ−ＳＭＬＣに送信して第２位置決め計算を行い、前記第２位置決め計算の結果を、第２位置サービス応答として、前記位置サービス要求の起動元に返信する、ことをさらに含む。
【００４０】
前記位置サービス要求は、ＵＥによって起動され、または、ゲートウェイ移動位置センター（ＧＭＬＣ）によって起動され、または、ＭＭＥによって起動される。
【００４１】
前記初期基地局は、基地局（ｅＮＢ）または第２ＨｅＮＢである。
【００４２】
移動通信システムにおける位置サービスの処理装置であって、
ユーザ機器（ＵＥ）が初期基地局から第１家庭用基地局（ＨｅＮＢ）にハンドオーバーする際、ハンドオーバー成功通知を受信する位置サービスやり取りモジュールと、
前記位置サービスやり取りモジュールがハンドオーバー成功通知を受信した後、ユーザ加入情報および／または第１ＨｅＮＢの位置マッピング関係に従って、位置サービス連続性ポリシーを決定する位置サービス制御モジュールと、を含み、
ここで、前記ハンドオーバーが発生する前に、位置サービス要求が起動され、
前記位置サービスやり取りモジュールが、さらに、前記位置サービス連続性ポリシーに従って、位置サービス応答を位置サービス要求の起動元に返信する。
【００４３】
該装置は、
１つまたは複数のＨｅＮＢが登録する際に報告した隣接基地局の情報を受信して、前記１つまたは複数のＨｅＮＢのために、対応する位置マッピング関係を確立する位置マッピング確立モジュールを、さらに含み、
ここで、前記隣接基地局が、前記ＨｅＮＢと重なるカバレッジ範囲を有する１つまたは複数の基地局（ｅＮＢ）、または、ほかのＨｅＮＢである。
【００４４】
前記位置サービス制御モジュールは、
該ＵＥの位置サービスの優先度情報を取得して判断し、該ＵＥが優先度の低いユーザである場合、位置サービスやり取りモジュールに対し、第１位置サービス連続性ポリシーを実行するよう通知し、該ＵＥが優先度の高いユーザである場合、位置サービスやり取りモジュールに対し、第２位置サービス連続性ポリシーを実行するよう通知する。
【００４５】
前記位置サービス制御モジュールは、
第１ＨｅＮＢの位置マッピング関係に従って、該第１ＨｅＮＢの配置領域のタイプを決定し、該第１ＨｅＮＢが第１タイプの領域に配置される場合、位置サービスやり取りモジュールに対し、第１位置サービス連続性ポリシーを実行するよう通知し、該第１ＨｅＮＢが第２タイプの領域に配置される場合、位置サービスやり取りモジュールに対し、第２位置サービス連続性ポリシーを実行するよう通知する。
【００４６】
前記位置サービス制御モジュールは、
該ＵＥの位置サービスの優先度情報を取得して、第１ＨｅＮＢの位置マッピング関係に従って、該第１ＨｅＮＢの配置領域のタイプを決定し、
該ＵＥが優先度の低いユーザであり、かつ、該第１ＨｅＮＢが第１タイプの領域に配置される場合、位置サービスやり取りモジュールに対し、第１位置サービス連続性ポリシーを実行するよう通知し、そうでない場合、位置サービスやり取りモジュールに対し、第２位置サービス連続性ポリシーを実行するよう通知する。
【００４７】
前記位置サービスやり取りモジュールは、
位置サービス制御モジュールから送信された、第１位置サービス連続性ポリシーを実行する旨の通知を受信した後、状態の更新を進化型サービス移動位置センター（Ｅ−ＳＭＬＣ）へ通知せず、
Ｅ−ＳＭＬＣから返信された、初期基地局に対する位置決め結果を、位置サービス応答として、前記位置サービス要求の起動元に返信する。
【００４８】
前記位置サービスやり取りモジュールは、
位置サービス制御モジュールから送信された、第２位置サービス連続性ポリシーを実行する旨の通知を受信した後、状態の更新をＥ−ＳＭＬＣへ通知し、
前記第１ＨｅＮＢの位置マッピング関係に記録された位置マッピング情報を、前記Ｅ−ＳＭＬＣに送信し、前記Ｅ−ＳＭＬＣによって、第１位置決め計算を行い、
Ｅ−ＳＭＬＣから返信された、第１ＨｅＮＢに対する第１位置決め計算の結果を、第１位置サービス応答として、前記位置サービス要求の起動元に返信する。
【００４９】
前記位置サービスやり取りモジュールは、
Ｅ−ＳＭＬＣから送信された位置決め要求を受信した後、位置決め報告制御を第１ＨｅＮＢへ送信することで、該第１ＨｅＮＢにより提供された位置決め報告を得、
該位置決め報告を前記Ｅ−ＳＭＬＣに送信して第２位置決め計算を行い、
前記第２位置決め計算の結果を、第２位置サービス応答として、前記位置サービス要求の起動元に返信する。
【００５０】
進化型サービス移動位置センター（Ｅ−ＳＭＬＣ）であって、
モビリティ管理エンティティ（ＭＭＥ）から送信された状態の更新を受信して、ＭＭＥにより提供された、ハンドオーバー後のＨｅＮＢの位置マッピング関係を受信する位置決めやり取りモジュールと、
前記ハンドオーバー後のＨｅＮＢの位置マッピング関係に従って、第１位置決め計算を行う位置決め計算モジュールと、を含み、
前記位置決めやり取りモジュールが、さらに、位置決め要求を送信する前に、ハンドオーバー後のＨｅＮＢに対する第１位置決め計算の結果をＭＭＥへ送信する。
【００５１】
前記位置決めやり取りモジュールは、さらに、受信された状態の更新に対して、位置決め要求をＭＭＥへ送信し、ＭＭＥにより提供された位置決め報告を受信して、第２位置決め計算の結果を返信し、
前記位置決め計算モジュールは、さらに、該位置決め報告に従って、前記第２位置決め計算を行う。
【００５２】
家庭用基地局（ＨｅＮＢ）であって、
該ＨｅＮＢと重なるカバレッジ範囲を有する１つまたは複数の基地局（ｅＮＢ）、および／または、１つまたは複数のほかのＨｅＮＢを検出して、該ＨｅＮＢの隣接基地局の情報を得る検出モジュールと、
該ＨｅＮＢがモビリティ管理エンティティ（ＭＭＥ）へ登録する際、前記隣接基地局の情報を報告する通信モジュールと、を含む。
【発明の効果】
【００５３】
上述の解決手段から分かるように、本発明で提供された、移動通信システムにおける位置サービスの処理方法およびその装置は、シグナリングプロセスの最適化、および、ＥＰＣにおける機器の利用により、ＵＥがＨｅＮＢにハンドオーバーする場合、位置サービスの連続性を柔軟に制御することを実現し、事業者が、ユーザの位置サービスに対する要求、および、ＨｅＮＢが配置される異なるシーンに従って、位置サービスを柔軟に処理することを可能にする。
【００５４】
さらに、共通ＨｅＮＢの密集領域について、本発明の実施例によれば、複数回のハンドオーバーによる位置サービスのシグナリングオーバヘッドを回避し、共通の無線リソースと運営コストを節約し、位置サービスの優先度が低いユーザに対して、頻繁な小さい範囲の領域の位置更新を提供しない。専用ＨｅＮＢのセル領域について、本発明の実施例によれば、該ＨｅＮＢを有するユーザに対して、位置決め精度のベストエフォート型の位置サービスを提供し、位置サービスの応答時間を短縮させ、ユーザが専用ＨｅＮＢを配置する価値を向上させる。
【図面の簡単な説明】
【００５５】
【図１】従来の技術における位置サービスに関連する進化したパケットシステム（ＥＰＳ）のアーキテクチャを示す図である。
【図２】従来の技術における位置サービス処理を示すフローチャートである。
【図３】従来の技術における位置サービスの連続性処理を示すフローチャートである。
【図４】本発明の１つの実施例にける位置サービスの処理方法を示すフローチャートである。
【図５】本発明のほかの１つの実施例における位置サービスの処理方法を示すフローチャートである。
【図６】本発明のもう１つの実施例における位置サービスの処理方法を示すフローチャートである。
【図７】本発明の１つの実施例において、位置マッピング関係を確立することを示すフローチャートである。
【図８】本発明の１つの実施例において、位置サービス連続性ポリシーを決定することを示すフローチャートである。
【図９】本発明のほかの１つの実施例において、位置サービス連続性ポリシーを決定することを示すフローチャートである。
【図１０】本発明のもう１つの実施例において、位置サービス連続性ポリシーを決定することを示すフローチャートである。
【図１１】本発明の１つの実施例における位置サービスの処理装置の構成を示す図である。
【図１２】本発明の１つの実施例における進化型サービス移動位置センター（Ｅ−ＳＭＬＣ）の構成を示す図である。
【図１３】本発明の１つの実施例における家庭用基地局（ＨｅＮＢ）の構成を示す図である。
【発明を実施するための形態】
【００５６】
本発明の目的、解決手段とメリットをさらに明確にするために、以下、図面を参照して実施例を挙げながら、本発明をさらに詳しく説明する。
【００５７】
ＬＴＥシステムにおいて、事業者または管理者は、ＨｅＮＢをマ−ケット、体育館、学校およびホテルなどの公共場所に密集配置し、上記ＨｅＮＢが、これらの場所に入るユーザの使用する共通リソースとして、共通ＨｅＮＢである。一般的に、ＨｅＮＢの動作モードは、オープンモード（Ｏｐｅｎ  Ｍｏｄｅ）、または、ハイブリットモード（Ｈｙｂｒｉｄ  Ｍｏｄｅ）に配置されてよく、２つのモードのいずれにおいても、密集配置されるＨｅＮＢのカバレッジ範囲内に入るユーザは、ＨｅＮＢにハンドオーバーすることができる。但し、ハイブリットモードで、ネットワークは、必要なＱｏＳ制御を行うために、ＨｅＮＢにアクセスするユーザが、特定の加入者グループ（ＣＳＧ：Ｃｌｏｓｅｄ  Ｓｕｂｓｃｒｉｂｅｒ  Ｇｒｏｕｐ）のユーザであるか、それとも、非ＣＳＧユーザであるか、を区分する必要がある。
【００５８】
通常的に、ＨｅＮＢ毎によって、比較的小さい範囲の領域がカバーされ、密集配置される複数のＨｅＮＢによって、１つの公共領域がカバーされ、該公共領域は、１つまたは複数のｅＮＢによりカバーされる比較的大きい範囲の領域と重なる。ユーザは、共通ＨｅＮＢの密集領域に入った後、複数のＨｅＮＢにハンドオーバーした後に、その中のあるＨｅＮＢにアクセスし、あるいは、全体の公共領域を越えた後に、カバレッジ範囲が重なるあるｅＮＢにハンドオーバーする可能性がある。上記の場合、事業者または管理者は、複数回のハンドオーバーによる位置サービス連続性のシグナリングオーバヘッドを回避して、共通の無線リソースおよび運営コストを節約することを希望する一方、位置サービスの優先度が低いあるユーザのために、頻繁な小さい範囲の領域の位置更新を提供する必要がなくなる。
【００５９】
また、実際の運用において、ＨｅＮＢは、家庭ユーザが使用する非共通のリソースとして、ユーザによって、個人家庭内に配置されてもよい。この時、ＨｅＮＢは、通常、クローズモード（Ｃｌｏｓｅｄ  Ｍｏｄｅ）に配置され、ある特定のＣＳＧに属するユーザだけが、該ＨｅＮＢにアクセスすることができる。通常、ＨｅＮＢ毎によって、比較的小さい範囲の領域がカバーされ、該領域は１つまたは複数のｅＮＢの比較的大きいカバレッジ範囲の領域と重なる可能性がある。ユーザは、専用ＨｅＮＢのセル領域に入った後、一般的に、重なるｅＮＢから該ＨｅＮＢにハンドオーバーし、かつ、一般的に、該ＨｅＮＢからほかの基地局への頻繁的なハンドオーバーを発生することがない。この場合、ＨｅＮＢの所有者であるユーザは、該ＨｅＮＢにハンドオーバーする際、位置決め精度のベストエフォート型の位置サービスを得て、位置サービスの応答時間を短縮させることを希望する一方、事業者は、増加するシグナリングオーバヘッドで、ユーザの満足度を向上させ、ユーザが専用ＨｅＮＢを配置する価値を増加させることを希望する。
【００６０】
上記の要求を満たすために、本発明の実施例は、移動通信システムにおける位置サービスの処理方法およびその装置を提供している。ＵＥが１つのＨｅＮＢにハンドオーバーする場合、シグナリングプロセスを最適化し、ＥＰＣにおける機器を利用して、位置サービスの連続性を柔軟に制御する。ここで、前記ＵＥが１つのＨｅＮＢにハンドオーバーすることは、１つのｅＮＢから該ＨｅＮＢにハンドオーバーすることであってもよく、あるいは、ほかのＨｅＮＢから該ＨｅＮＢにハンドオーバーすることであってもよい。
【００６１】
図４は、本発明の１つの実施例における位置サービスの処理方法を示すフローチャートであり、以下のステップを含む。
【００６２】
ステップ４０１で、１つまたは複数のＨｅＮＢは、検出された隣接基地局の情報をＭＭＥに報告し、ＭＭＥは、前記１つまたは複数のＨｅＮＢのために、位置マッピング関係を確立する。
【００６３】
ここで、ＨｅＮＢから報告された隣接基地局の情報には、該ＨｅＮＢにより検出できた、ほかのＨｅＮＢ、および、１つまたは複数のｅＮＢの情報が含まれる。一般的に、これらのほかのＨｅＮＢ、１つまたは複数のｅＮＢ、および、隣接基地局の情報を報告する該ＨｅＮＢは、重なるカバレッジ領域を有するため、該ＨｅＮＢにより検出されることができ、該ＨｅＮＢの隣接基地局と総称される。位置マッピング関係は、各ＨｅＮＢと、隣接ｅＮＢおよびほかの隣接ＨｅＮＢとの位置対応関係を指す。
【００６４】
ステップ４０２で、ＭＭＥは、ユーザ加入情報および／または前記位置マッピング関係に従って、位置サービス連続性ポリシーを決定する。
【００６５】
ここで、ユーザ加入情報は、ＵＥのＩＤおよび位置サービスの加入情報を含む。位置サービス連続性ポリシーは、ＭＭＥが状態の更新をＥ−ＳＭＬＣへ通知しないこと（以下、第１位置サービス連続性ポリシーと呼ばれる）、あるいは、ＭＭＥが状態の更新をＥ−ＳＭＬＣへ通知するとともに、ＵＥのハンドオーバー先のＨｅＮＢの位置マッピング関係をＥ−ＳＭＬＣに送信すること（以下、第２位置サービス連続性ポリシーと呼ばれる）を含む。該ステップの具体的な実現は、図８〜１０の流れを参照する。
【００６６】
ステップ４０３で、状態の更新の受信状況に従って、Ｅ−ＳＭＬＣは、位置サービス連続性ポリシーに相応する処理を行う。
【００６７】
例えば、位置サービス連続性ポリシーが、ＭＭＥが状態の更新をＥ−ＳＭＬＣへ通知しないことである場合、Ｅ−ＳＭＬＣの処理は、位置サービス連続性処理をトリガーしないことになり、位置サービス連続性ポリシーが、状態の更新を通知するとともに位置マッピング関係を送信することである場合、Ｅ−ＳＭＬＣの処理は、受信された位置マッピング関係を利用して、位置決め計算を行うとともに、位置サービス連続性処理をトリガーすることになる。
【００６８】
ここで、位置サービス連続性処理は、従来技術の流れ、例えば、図３におけるステップ３０４〜３０７の流れを参照してよい。但し、ハンドオーバー後の基地局は、図３に示す第２ｅＮＢではなく、ＨｅＮＢである。
【００６９】
図５は、本発明のほかの実施例における位置サービスの処理方法を示すフローチャートであり、以下のステップを含む。
【００７０】
ステップ５０１で、第１ＨｅＮＢは、検出された隣接基地局の情報をＭＭＥに報告する。
【００７１】
ステップ５０２で、ＭＭＥは、前記第１ＨｅＮＢのために位置マッピング関係を確立する。
【００７２】
ステップ５０３で、ＵＥは、位置サービス要求をＭＭＥへ起動する。ここで、ＧＭＬＣまたはＭＭＥによって、位置サービス要求を起動してもよい。説明すべきものとして、この場合、該ＵＥのアクセス先は、ｅＮＢまたは第２ＨｅＮＢである。
【００７３】
ステップ５０４で、ＭＭＥは、位置決め要求をＥ−ＳＭＬＣへ起動する。
【００７４】
ステップ５０５で、Ｅ−ＳＭＬＣは、ＵＥの現在のアクセス先である前記ｅＮＢまたは第２ＨｅＮＢとやり取りして、位置決めプロセスを実行する。
【００７５】
ステップ５０６で、ＵＥは、前記ｅＮＢまたは第２ＨｅＮＢから、前記第１ＨｅＮＢにハンドオーバーする。即ち、ハンドオーバー前に、該ＵＥのアクセス先はｅＮＢまたは第２ＨｅＮＢであり、ハンドオーバー後に、該ＵＥのアクセス先は第１ＨｅＮＢである。
【００７６】
前記ｅＮＢまたは第２ＨｅＮＢは、ハンドオーバーを起動する前に、基地局に基づく位置決めアルゴリズムを一時停止し、ハンドオーバーに成功した後、基地局に基づく位置決めアルゴリズムを停止する。
【００７７】
ステップ５０７で、ＭＭＥは、ユーザ加入情報および／または前記第１ＨｅＮＢの位置マッピング関係に従って、第１位置サービス連続性ポリシーを実行すると決定する。
【００７８】
ここで、ユーザは、ＨｅＮＢが密集配置された公共領域に入る場合、該ステップ後、ＵＥが複数のＨｅＮＢの間でハンドオーバーすることは発生する可能性があるため、ステップ５０６〜５０７に類似するプロセスを繰り返し実行する。例えば、ＵＥが、また、第１ＨｅＮＢから第３ＨｅＮＢにハンドオーバーする場合、ＭＭＥは、さらに、第３ＨｅＮＢの位置マッピング関係などの情報に従って、位置サービス連続性ポリシーを決定する。ＵＥのハンドオーバーが発生しなくなった後、ＭＭＥは、最終的に決定された位置サービス連続性ポリシーに従って、相応する処理を実行する。
【００７９】
ステップ５０８で、Ｅ−ＳＭＬＣは、位置決め応答をＭＭＥへ送信する。ここで、位置決め応答を送信するタイミングについて、位置サービスの要求に従って、即時の応答または周期的な応答である可能性がある。
【００８０】
ステップ５０９で、ＭＭＥは、位置サービス応答をＵＥへ送信する。ここで、ステップ５０３に対応して、ＭＭＥは、位置サービス応答をＧＭＬＣまたはＭＭＥへ送信する可能性もある。
【００８１】
図６は、本発明のもう１つの実施例における位置サービスの処理方法を示すフローチャートであり、以下のステップを含む。
【００８２】
ステップ６０１で、第１ＨｅＮＢは、検出された隣接基地局の情報をＭＭＥに報告する。
【００８３】
ステップ６０２で、ＭＭＥは、前記第１ＨｅＮＢのために、位置マッピング関係を確立する。
【００８４】
ステップ６０３で、ＵＥは、位置サービス要求をＭＭＥへ起動する。ここで、ＧＭＬＣまたはＭＭＥによって、前記位置サービス要求を起動してもよい。
【００８５】
ステップ６０４で、ＭＭＥは、位置決め要求をＥ−ＳＭＬＣへ起動する。
【００８６】
ステップ６０５で、Ｅ−ＳＭＬＣは、ＵＥの現在のアクセス先であるｅＮＢまたは第２ＨｅＮＢとやり取りして、位置決めプロセスを実行する。
【００８７】
ステップ６０６で、ＵＥは、前記ｅＮＢまたは第２ＨｅＮＢから第１ＨｅＮＢにハンドオーバーする。前記ｅＮＢまたは第２ＨｅＮＢは、ハンドオーバーを起動する前に、基地局に基づく位置決めアルゴリズムを一時停止し、ハンドオーバーに成功した後、基地局に基づく位置決めアルゴリズムを停止する。
【００８８】
ステップ６０７で、ＭＭＥは、ユーザ加入情報および／または前記第１ＨｅＮＢの位置マッピング関係に従って、第２位置サービス連続性ポリシーを実行すると決定する。この場合、第１ＨｅＮＢは、一般的に、ユーザが家庭内に配置する専用ＨｅＮＢである。
【００８９】
ステップ６０８で、ＭＭＥは、状態の更新をＥ−ＳＭＬＣへ送信して、Ｅ−ＳＭＬＣに対し、前記ｅＮＢまたは第２ＨｅＮＢから前記第１ＨｅＮＢへのハンドオーバーが発生した旨を通知する。該ステップは、従来技術のステップ３０３に類似する。
【００９０】
ステップ６０９で、ＭＭＥは、位置マッピング情報をＥ−ＳＭＬＣへ送信する。ここで、位置マッピング情報は、ステップ６０２においてＭＭＥが前記第１ＨｅＮＢのために確立した位置マッピング関係から得られたものである。
【００９１】
ステップ６１０で、Ｅ−ＳＭＬＣは、ステップ６０９で提供された前記第１ＨｅＮＢの位置マッピング情報に基づいて、第１位置決め計算を行う。
【００９２】
ここで、ステップ６０９で提供された位置マッピング情報は、第１ＨｅＮＢにより検出された１つまたは複数のｅＮＢの信号、および、第１ＨｅＮＢ以外の１つまたは複数のほかのＨｅＮＢの信号を含む。第１ＨｅＮＢがこれらの基地局の信号を検出することができるのは、第１ＨｅＮＢがこれらのｅＮＢおよびＨｅＮＢのカバレッジ範囲内にあり、言い換えれば、第１ＨｅＮＢと、これらのｅＮＢおよびＨｅＮＢとのカバレッジ範囲の重なるところがある、ことを表す。
【００９３】
第１ＨｅＮＢにより検出されたほかのＨｅＮＢおよび／またはｅＮＢの信号について、さらに、信号強度の判断を行ってもよい。信号強度が一定の閾値より大きい場合、対応するほかのＨｅＮＢおよび／またはｅＮＢが第１ＨｅＮＢの隣接基地局であると決定することができ、このように、位置決め計算の範囲を縮小し、Ｅ−ＳＭＬＣの位置決め計算の精度を向上させることができる。
【００９４】
従来の技術に基づいて、Ｅ−ＳＭＬＣは、位置マッピング情報を利用して、第１ＨｅＮＢの位置を計算することができる。該計算は、結果の精度が高くない可能性があり、ベストエフォート型の位置決め計算に属し、ここで、第１位置決め計算と呼ばれる。
【００９５】
ステップ６１１で、Ｅ−ＳＭＬＣは、第１位置決め計算の結果を含む第１位置決め応答をＭＭＥへ送信する。
【００９６】
ステップ６１２で、ＭＭＥは、第１位置決め応答の情報を含む第１位置サービス応答をＵＥへ送信する。ここで、ステップ６０３に対応して、ＭＭＥは、第１位置サービス応答をＧＭＬＣまたはＭＭＥへ送信する可能性もある。
【００９７】
ステップ６１３で、Ｅ−ＳＭＬＣは、ＵＥのＩＤおよびＥ−ＵＴＲＡＮパラメータなどを含む位置決め要求をＭＭＥへ送信する。該ステップは、従来技術のステップ３０４に類似する。
【００９８】
ステップ６１４で、ＭＭＥは、Ｅ−ＵＴＲＡＮパラメータなどの情報を含む位置決め報告制御を第１ＨｅＮＢへ送信する。
【００９９】
ステップ６１５で、第１ＨｅＮＢは、第１ＨｅＮＢのＩＤおよび第１ＨｅＮＢの測定結果などを含む位置決め報告をＭＭＥへ送信する。
【０１００】
ステップ６１６で、ＭＭＥは、ＵＥのＩＤ、第１ＨｅＮＢのＩＤ、および、第１ＨｅＮＢの測定結果などの情報を含む位置決め応答をＥ−ＳＭＬＣへ送信する。
【０１０１】
ステップ６１７で、Ｅ−ＳＭＬＣは、ステップ６１６で提供された情報に基づいて、第２位置決め計算を行って、第１ＨｅＮＢの位置を算出して、第２位置決め応答をＭＭＥへ返信する。
【０１０２】
第１位置決め計算に比べて、該ステップの第２位置決め計算は、位置決め報告制御が含まれ、かつ、ＨｅＮＢの即時の測定結果が利用されるので、位置決め精度が第１位置決め計算より向上する可能性がある。
【０１０３】
ステップ６１８で、ＭＭＥは、第２位置決め応答の情報を含む第２位置サービス応答をＵＥへ送信する。ここで、ステップ６０３に対応して、ＭＭＥは、第２位置サービス応答をＧＭＬＣまたはＭＭＥへ送信する可能性もある。
【０１０４】
説明すべきものとして、上記ステップ６１３〜６１８は、従来技術における位置サービス連続性処理の流れを参考とする。
【０１０５】
ここから分かるように、本発明の実施例で提供された流れでは、従来技術の第２位置サービス応答の前に、先に、第１位置サービス応答をＵＥに返信することができる。これにより、位置サービスの応答時間を短縮させ、ユーザが専用ＨｅＮＢを配置する価値を増加させる。
【０１０６】
図７は、本発明の１つの実施例において、位置マッピング関係を確立する具体的な流れを示す図であり、以下のステップを含む。
【０１０７】
ステップ７０１で、ＨｅＮＢは、電源投入時のセルフチェッキング、周波数走査およびチューニングなどの前期の準備処理を行う。
【０１０８】
ステップ７０２で、該ＨｅＮＢは、ネットワーク発見処理を行い、ＭＭＥとのセキュリティネゴシエーションを行い、セキュリティチャンネル、および、伝送層のストリーム制御伝送プロトコル（ＳＣＴＰ：Ｓｔｒｅａｍ  Ｃｏｎｔｒｏｌ  Ｔｒａｎｓｍｉｓｓｉｏｎ  Ｐｒｏｔｏｃｏｌ）の接続を確立する。
【０１０９】
ステップ７０３で、該ＨｅＮＢは、該ＨｅＮＢのＩＤ、該ＨｅＮＢにより検出された１つまたは複数のｅＮＢおよびほかのＨｅＮＢの情報、該ＨｅＮＢのモード、並びに、登録プロセスに必要なほかのパラメータを含むＨｅＮＢ登録要求メッセージをＭＭＥへ送信する。
【０１１０】
具体的に、前記１つまたは複数のｅＮＢおよびほかのＨｅＮＢの情報は、ｅＮＢのＣＧＩ、および該ＨｅＮＢに到着するｅＮＢの参照信号の信号強度、並びに、ほかのＨｅＮＢのＩＤ、および該ＨｅＮＢに到着する該ほかのＨｅＮＢの参照信号の信号強度を含む。
【０１１１】
ステップ７０４で、ＭＭＥは、ＨｅＮＢ登録要求メッセージを受信した後、ＨｅＮＢをインデックスとする位置マッピング関係テーブルを作成する。
【０１１２】
この関係テーブルによって、該ＨｅＮＢと、カバレッジが重なるｅＮＢおよび周辺のほかのＨｅＮＢとの対応関係が確立される。指摘すべきものとして、この関係テーブルは、ＭＭＥが位置サービス連続性ポリシーを決定すること、および、Ｅ−ＳＭＬＣの位置決め計算に位置マッピング情報を提供することに用いることができる。
【０１１３】
表１は、該関係テーブルの１つの可能なフォーマットを示し、テーブルの各レコードに、１つのＨｅＮＢの位置マッピング関係が記録され、例えば、テーブルのレコード１に、ＨｅＮＢ１の位置マッピング関係が記録される。ここから分かるように、ＨｅＮＢ１と隣接する基地局は、１つのｅＮＢおよび３つのほかのＨｅＮＢを含み、それぞれがＣＧＩ１およびＨｅＮＢ２〜４である。さらに、該関係テーブルには、あるＨｅＮＢの隣接基地局の各種の必要な情報、例えば、該ＨｅＮＢに到着する隣接ｅＮＢの参照信号の信号強度、および／または、該ＨｅＮＢに到着するほかの隣接ＨｅＮＢの参照信号の信号強度とほかの隣接ＨｅＮＢの動作モードなどを記録することができる。
【表１】
0005578981.tif 000002
【０１１４】
指摘すべきものとして、ＭＭＥがＨｅＮＢのために確立する位置マッピング関係は、テーブルの形式を採用してよく、あるいは、該位置マッピング関係を表すことができるほかの形式を採用してもよい。
【０１１５】
ステップ７０５で、該ＨｅＮＢが登録にパスした後、ＭＭＥは、ＨｅＮＢ登録応答メッセージを該ＨｅＮＢへ送信して、該ＨｅＮＢがＥＰＣにより提供されるサービスとネットワーク接続を使用できることを表す。
【０１１６】
ここから分かるように、本実施例は、従来の登録シグナリングプロセスを最適化したものであり、ＨｅＮＢの登録を完成するとともに、該ＨｅＮＢのために位置マッピング関係を確立することができる。ＬＴＥシステムにおける各ＨｅＮＢは、いずれも上記の流れに従って、該ＨｅＮＢに対応する位置マッピング関係をＭＭＥに確立することができる。
【０１１７】
図８に示すように、本発明の１つの実施例において、位置サービス連続性ポリシーを決定する流れは、下記のステップを含む。
【０１１８】
ステップ８０１で、ＭＭＥは、ＵＥのユーザ加入情報を検査し、該ＵＥのユーザが位置サービスの優先度の高いユーザであるかどうかを判断する。
【０１１９】
説明すべきものとして、前記位置サービスの優先度は、ユーザ加入情報に含まれる位置サービスの加入情報から取得することができる。ここで、ユーザ加入情報は、ＭＭＥまたはＨＳＳに保存され、あるいは、位置サービス要求メッセージに付けられる。
【０１２０】
ステップ８０２で、ＵＥのユーザの位置サービスの優先度が高いと判断した場合、ＭＭＥは、第２位置サービス連続性ポリシーを実行すると決定する。
【０１２１】
ステップ８０３で、ＵＥのユーザの位置サービスの優先度が低いと判断した場合、ＭＭＥは、第１位置サービス連続性ポリシーを実行すると決定する。
【０１２２】
図９に示すように、本発明のほかの実施例において、位置サービス連続性ポリシーを決定する流れは、下記のステップを含む。
【０１２３】
ステップ９０１で、ＭＭＥは、第１ＨｅＮＢ（即ち、ハンドオーバー後のＨｅＮＢ）の位置マッピング関係を検査し、該第１ＨｅＮＢの配置領域のタイプを判断し、例えば、該配置領域のタイプが共通ＨｅＮＢの密集領域であるかどうかを判断し、あるいは、該第１ＨｅＮＢが共通ＨｅＮＢの密集領域に属するかどうかを判断する。
【０１２４】
具体的に、第１ＨｅＮＢが共通ＨｅＮＢの密集領域に属するかどうかを判断する方法は、位置マッピング関係において、第１ＨｅＮＢをインデックスとするテーブルレコードには、オープンまたはクローズモードの少なくともＮ個のほかのＨｅＮＢが含まれるかどうかを判断し、含まれる場合、第１ＨｅＮＢが共通ＨｅＮＢの密集領域に属すると判断し、含まれない場合、第１ＨｅＮＢが共通ＨｅＮＢの密集領域に属しないと判断する、ことであってもよい。前記Ｎは、ＨｅＮＢの配置状況に従って設定および調整を行い、１以上の任意整数を取ってもよい。例えば、Ｎ＝２の場合について、第１ＨｅＮＢに対応するテーブルレコードに、２つのほかのＨｅＮＢが含まれるとき、該第１ＨｅＮＢが共通ＨｅＮＢの密集領域に属すると判断することができる。
【０１２５】
さらに、第１ＨｅＮＢが共通ＨｅＮＢの密集領域に属するかどうかを判断する際、信号強度により隣接基地局を決定することができ、これにより、ＭＭＥの位置サービス連続性ポリシーの決定の正確さを向上させる。例えば、表１において、ＨｅＮＢ１に到着するＣＧＩ１の参照信号の信号強度１が、予め設定された信号強度閾値より大きい場合、ＣＧＩ１をＨｅＮＢ１の隣接基地局と決定することができる。つまり、信号強度を、第１ＨｅＮＢの所在領域を判断するための選択可能な項目とする。
【０１２６】
ステップ９０２で、第１ＨｅＮＢが共通ＨｅＮＢの密集領域に属すると判断した場合、ＭＭＥは、第１位置サービス連続性ポリシーを実行すると決定する。
【０１２７】
ステップ９０３で、第１ＨｅＮＢが共通ＨｅＮＢの密集領域に属しない（例えば、専用ＨｅＮＢのセル領域に属する）と判断した場合、ＭＭＥは、第２位置サービス連続性ポリシーを実行すると決定する。
【０１２８】
図１０に示すように、本発明のほかの実施例において、位置サービス連続性ポリシーを決定する流れは、下記のステップを含む。
【０１２９】
ステップ１００１で、ＭＭＥは、ＵＥのユーザ加入情報を検査し、該ＵＥのユーザが位置サービスの優先度の高いユーザであるかどうかを判断する。該ＵＥのユーザの位置サービスの優先度が低いと判断した場合、ステップ１００２を実行し、逆に、該ＵＥのユーザの位置サービスの優先度が高いと判断した場合、ステップ１００３を実行する。
【０１３０】
ステップ１００２で、ＭＭＥは、引き続いて第１ＨｅＮＢの位置マッピング関係を検査して、第１ＨｅＮＢが共通ＨｅＮＢの密集領域に属するかどうかを判断する。第１ＨｅＮＢが共通ＨｅＮＢの密集領域に属しないと判断した場合、ステップ１００３を実行し、逆に、第１ＨｅＮＢが共通ＨｅＮＢの密集領域に属すると判断した場合、ステップ１００４を実行する。
【０１３１】
ステップ１００３で、ＭＭＥは、第２位置サービス連続性ポリシーを実行すると決定する。
【０１３２】
ステップ１００４で、ＭＭＥは、第１位置サービス連続性ポリシーを実行すると決定する。
【０１３３】
上記の移動通信システム（例えば、ＥＰＳシステム）における位置サービスの処理方法に基づいて、本発明の実施例では、移動通信システムにおける位置サービスの処理装置も相応に提供している。
【０１３４】
図１１は、本発明の１つの実施例における位置サービスの処理装置を示す。該装置は、移動通信システム（例えば、ＥＰＳシステム）に位置し、
ユーザ機器（ＵＥ）が初期基地局から第１家庭用基地局（ＨｅＮＢ）にハンドオーバーする際、ハンドオーバー成功通知を受信する位置サービスやり取りモジュールと、
前記位置サービスやり取りモジュールがハンドオーバー成功通知を受信した後、ユーザ加入情報および／または第１ＨｅＮＢの位置マッピング関係に従って、位置サービス連続性ポリシーを決定する位置サービス制御モジュールと、を含む。
【０１３５】
ここで、前記ハンドオーバーが発生する前に、位置サービス要求が起動される。
【０１３６】
前記位置サービスやり取りモジュールは、さらに、前記位置サービス連続性ポリシーに従って、位置サービス応答を位置サービス要求の起動元に返信する。
【０１３７】
具体的に応用する際、該位置サービスの処理装置は、ＭＭＥに設定されてよく、あるいは、ＭＭＥに対する機能のアップグレードにより実現されてよい。
【０１３８】
該装置は、１つまたは複数のＨｅＮＢが登録する際に報告した隣接基地局の情報を受信して、前記１つまたは複数のＨｅＮＢのために、対応する位置マッピング関係を確立する位置マッピング確立モジュールをさらに含む。
【０１３９】
ここで、前記隣接基地局は、前記ＨｅＮＢと重なるカバレッジ範囲を有する１つまたは複数の基地局（ｅＮＢ）、または、ほかのＨｅＮＢである。具体的に、位置マッピング確立モジュールの機能の実現は、図７の流れを参照することができる。
【０１４０】
前記位置サービス制御モジュールは、該ＵＥの位置サービスの優先度情報を取得して判断し、該ＵＥが優先度の低いユーザである場合、位置サービスやり取りモジュールに対し、第１位置サービス連続性ポリシーを実行するよう通知し、該ＵＥが優先度の高いユーザである場合、位置サービスやり取りモジュールに対し、第２位置サービス連続性ポリシーを実行するよう通知する。説明すべきものとして、位置サービス制御モジュールのこの部分の機能の具体的な実現は、図８の流れを参照することができる。
【０１４１】
前記位置サービス制御モジュールは、第１ＨｅＮＢの位置マッピング関係に従って、該第１ＨｅＮＢの配置領域のタイプを決定し、該第１ＨｅＮＢが第１タイプの領域に配置される場合、位置サービスやり取りモジュールに対し、第１位置サービス連続性ポリシーを実行するよう通知し、該第１ＨｅＮＢが第２タイプの領域に配置される場合、位置サービスやり取りモジュールに対し、第２位置サービス連続性ポリシーを実行するよう通知する。具体的な実現は、図９の流れを参照することができ、ここでは説明を省略する。
【０１４２】
実際に運用する際、第１タイプの領域は、共通ＨｅＮＢの密集領域であってよく、第２タイプの領域は、専用ＨｅＮＢのセル領域であってよい。
【０１４３】
前記位置サービス制御モジュールは、該ＵＥの位置サービスの優先度情報を取得して、第１ＨｅＮＢの位置マッピング関係に従って、該第１ＨｅＮＢの配置領域のタイプを決定し、該ＵＥが優先度の低いユーザであり、かつ、該第１ＨｅＮＢが第１タイプの領域に配置される場合、位置サービスやり取りモジュールに対し、第１位置サービス連続性ポリシーを実行するよう通知し、そうでない場合、位置サービスやり取りモジュールに対し、第２位置サービス連続性ポリシーを実行するよう通知する。具体的な実現は、図１０の流れを参照することができる。
【０１４４】
前記位置サービスやり取りモジュールは、位置サービス制御モジュールから送信された、第１位置サービス連続性ポリシーを実行する旨の通知を受信した後、状態の更新を進化型サービング移動位置センター（Ｅ−ＳＭＬＣ）へ通知せず、Ｅ−ＳＭＬＣから返信された、初期基地局に対する位置決め結果を位置サービス応答として、前記位置サービス要求の起動元に返信する。具体的な実現は、図５の流れを参照することができる。
【０１４５】
前記位置サービスやり取りモジュールは、位置サービス制御モジュールから送信された、第２位置サービス連続性ポリシーを実行する旨の通知を受信した後、状態の更新をＥ−ＳＭＬＣへ通知し、前記第１ＨｅＮＢの位置マッピング関係に記録された位置マッピング情報を、前記Ｅ−ＳＭＬＣに送信し、前記Ｅ−ＳＭＬＣによって、第１位置決め計算を行い、Ｅ−ＳＭＬＣから返信された、第１ＨｅＮＢに対する第１位置決め計算の結果を、第１位置サービス応答として、前記位置サービス要求の起動元に返信する。具体的な実現は、図６の流れを参照することができる。
【０１４６】
前記位置サービスやり取りモジュールは、
Ｅ−ＳＭＬＣから送信された位置決め要求を受信した後、位置決め報告制御を第１ＨｅＮＢへ送信することで、該第１ＨｅＮＢにより提供された位置決め報告を得、
該位置決め報告を前記Ｅ−ＳＭＬＣに送信して第２位置決め計算を行い、
前記第２位置決め計算の結果を、第２位置サービス応答として、前記位置サービス要求の起動元に返信する。
【０１４７】
前記位置サービスやり取りモジュールは、ＭＭＥと移動通信システムにおけるほかの機器とのやり取りをサポートするための通信インタフェースであってよく、Ｓ１−ＭＭＥやＳＬｓなどのインタフェースの処理を行う。
【０１４８】
図１２は、本発明の１つの実施例における位置サービスをサポートする進化型サービング移動位置センター（Ｅ−ＳＭＬＣ）を示す図である。
【０１４９】
該Ｅ−ＳＭＬＣは、
モビリティ管理エンティティ（ＭＭＥ）から送信された状態の更新を受信して、ＭＭＥにより提供された、ハンドオーバー後のＨｅＮＢの位置マッピング関係を受信する位置決めやり取りモジュールと、
前記ハンドオーバー後のＨｅＮＢの位置マッピング関係に従って、第１位置決め計算を行う位置決め計算モジュールと、を含む。
【０１５０】
前記位置決めやり取りモジュールは、さらに、位置決め要求を送信する前に、ハンドオーバー後のＨｅＮＢに対する第１位置決め計算の結果を、ＭＭＥへ返信する。
【０１５１】
前記位置決めやり取りモジュールは、さらに、受信された状態の更新に対して、位置決め要求をＭＭＥへ送信し、ＭＭＥにより提供された位置決め報告を受信して、第２位置決め計算の結果を返信する。
【０１５２】
前記位置決め計算モジュールは、さらに、該位置決め報告に従って、前記第２位置決め計算を行う。
【０１５３】
図１３は、本発明の１つの実施例における位置サービスをサポートする家庭用基地局（ＨｅＮＢ）を示す図である。
【０１５４】
該ＨｅＮＢは、
該ＨｅＮＢと重なるカバレッジ範囲を有する１つまたは複数の基地局（ｅＮＢ）、および／または、１つまたは複数のほかのＨｅＮＢを検出して、該ＨｅＮＢの隣接基地局の情報を得る検出モジュールと、
該ＨｅＮＢがモビリティ管理エンティティ（ＭＭＥ）へ登録する際、前記隣接基地局の情報を報告する通信モジュールと、を含む。
【０１５５】
ここから分かるように、ＨｅＮＢ、Ｅ−ＳＭＬＣおよびＭＭＥが協調動作することにより、事業者は、ユーザが位置サービスに対する需要、および、ＨｅＮＢが配置される異なるシーンに従って、柔軟に位置サービスを処理することができる。
【０１５６】
上記は、本発明の好ましい実施例にすぎず、本発明の保護範囲を限定するものではない。本発明の精神と原則内で行われる種々の修正、均等切替、改善などは全て本発明の保護範囲内に含まれるべきである。
【図１】
0005578981.tif 000003
【図２】
0005578981.tif 000004
【図３】
0005578981.tif 000005
【図４】
0005578981.tif 000006
【図５】
0005578981.tif 000007
【図６】
0005578981.tif 000008
【図７】
0005578981.tif 000009
【図８】
0005578981.tif 000010
【図９】
0005578981.tif 000011
【図１０】
0005578981.tif 000012
【図１１】
0005578981.tif 000013
【図１２】
0005578981.tif 000014
【図１３】
0005578981.tif 000015